(57)【要約】【課題】従来、指向性表示における視範囲の数を変化させることが困難である。【解決手段】画素７ごとに駆動が制御される液晶と、前記液晶に向けて照射する光を射出する複数のＥＬ素子４５と、を含み、複数の画素７は、ｈ個（ｈは、２以上の整数）の画像に対応して、ｈ個の画素７を１組の画素群５５とする複数組の画素群５５に区分され、ｈ個の画像がｈ個の画素７のそれぞれに１つずつ割り当てられ、ＥＬ素子４５は、画素７に対応して設けられており、且つ、光を射出する射光状態と光の射出を停止する停止状態とが、複数のＥＬ素子４５間で相互に独立して制御され、複数のＥＬ素子４５は、画素群５５ごとに、ｈ個のＥＬ素子４５のうちの一部が射光状態に制御され、残りが停止状態に制御され、射光状態に制御されるＥＬ素子４５は、ｈの数の多さに応じて、光の輝度が高く制御される、ことを特徴とする電気光学装置。【選択図】図１８
2010217650.tif 000002
【特許請求の範囲】
【請求項１】
複数の画素の前記画素ごとに駆動が制御される液晶と、
前記液晶に向けて照射する光を射出する複数の射光素子と、を含み、
前記複数の画素は、相互に異なるｈ個（ｈは、２以上の整数）の画像に対応して、ｈ個の前記画素ごとに、前記ｈ個の画素を１組の画素群とする複数組の前記画素群に区分され、
前記複数の画素には、前記ｈ個の画像が、前記画素群ごとに、前記ｈ個の画素のそれぞれに１つずつ割り当てられ、
前記射光素子は、前記画素に対応して設けられており、且つ、前記光を射出する射光状態と前記光の射出を停止する停止状態とが、前記複数の射光素子間で相互に独立して制御され、
前記複数の射光素子は、前記画素群ごとに、前記ｈ個の画素に対応するｈ個の前記射光素子のうちの一部が前記射光状態に制御され、前記ｈ個の射光素子の残りが前記停止状態に制御され、
前記射光状態に制御される前記射光素子は、ｈの数の多さに応じて、前記光の輝度が高く制御される、
ことを特徴とする電気光学装置。
【請求項２】
前記複数の射光素子は、前記画素群ごとに、
前記ｈ個の前記射光素子のうちの１つが前記射光状態に制御され、前記ｈ個の射光素子の残りが前記停止状態に制御される、
ことを特徴とする請求項１に記載の電気光学装置。
【請求項３】
前記射光素子の前記射光状態及び前記停止状態を、前記射光素子ごとに制御する制御部を有する、ことを特徴とする請求項１又は２に記載の電気光学装置。
【請求項４】
前記射光状態に制御される前記射光素子は、前記画像の濃淡における淡さに応じて、前記光の輝度が高く制御される、ことを特徴とする請求項１乃至３のいずれか一項に記載の電気光学装置。
【請求項５】
前記複数の射光素子は、エレクトロルミネセンス素子で構成されている、ことを特徴とする請求項１乃至４のいずれか一項に記載の電気光学装置。
【請求項６】
前記複数の画素は、第１の方向に沿って配列する複数の前記画素を１つの画素配列として、前記第１の方向とは交差する第２の方向に並列する複数の前記画素配列を構成しており、
各前記画素配列において、複数組の前記画素群が前記第１の方向に沿って並んでおり、
前記第２の方向に隣り合う２つの前記画素配列において、一方の前記画素配列における前記画素群と、他方の前記画素配列における前記画素群とが、前記第１の方向及び前記第２の方向の双方に対して交差する方向に並んでいる、
ことを特徴とする請求項１乃至５のいずれか一項に記載の電気光学装置。
【請求項７】
請求項１乃至６のいずれか一項に記載の電気光学装置を有する、ことを特徴とする電子機器。
【発明の詳細な説明】
【技術分野】
【０００１】
本発明は、電気光学装置及び電子機器等に関する。
【背景技術】
【０００２】
従来、電気光学装置の１つとして、相互に異なる複数の範囲から見たときに、それぞれの範囲（以下、視範囲と呼ぶ）ごとに異なる画像を表示（以下、指向性表示と呼ぶ）することができる表示装置が知られている。
指向性表示を行うことができる表示装置には、複数の画素で画像を形成する表示パネルと、複数の発光領域を有する照明装置とによって指向性表示を実現するものが知られている。このような表示装置では、複数の画素は、視範囲に対応する画像ごとに区分される。
このような表示装置で２つの視範囲に指向性表示を行う仕組みについて、断面図を用いて説明する。表示パネル８００は、図２６に示すように、第１の画像が割り当てられる第１の画素８０１と、第２の画像が割り当てられる第２の画素８０３とを有している。そして、照明装置８０５は、第１の画素８０１及び第２の画素８０３の画素群８０７ごとに発光領域８０９が設けられる。
【０００３】
発光領域８０９から表示パネル８００に向けて照射される光は、第１の画素８０１を介して第１の範囲８１１に及ぶ。また、発光領域８０９から表示パネル８００に向けて照射される光は、第２の画素８０３を介して第２の範囲８１３に及ぶ。第１の範囲８１１内にある視点からは、第１の画像が視認され得る。第２の範囲８１３内にある視点からは、第２の画像が視認され得る。表示パネル８００と照明装置８０５とを有する表示装置では、互いに異なる視範囲である第１の範囲８１１及び第２の範囲８１３のそれぞれに、互いに異なる第１の画像及び第２の画像のそれぞれを表示することができる。
【先行技術文献】
【特許文献】
【０００４】
【特許文献１】特開平８−１９４１９０号公報
【特許文献２】特開平９−１０２９６９号公報
【特許文献３】特開平１０−１２３４５９号公報
【特許文献４】特開平１０−１８６２７２号公報
【特許文献５】米国特許第４７１７９４９号明細書
【特許文献６】米国特許第４８２９３６５号明細書
【特許文献７】米国特許第５０３６３８５号明細書
【発明の概要】
【発明が解決しようとする課題】
【０００５】
上述したように、複数の画素を有する表示パネルと、複数の発光領域を有する照明装置とによって指向性表示を行う従来の表示装置では、複数の画素は、相互に異なる画像ごとに区分される。また、複数の画素は、各画像が割り当てられた画素を画像ごとに１つずつ含む画素群に区分される。そして、この従来の表示装置では、発光領域が画素群ごとに、すなわち発光領域が画素群に対応して設けられている。
【０００６】
このような従来の表示装置では、発光領域が画素群に対応して設けられているので、指向性表示における視範囲の数は、画素群に含まれる画素の数に対応する。このため、上述した従来の表示装置において、指向性表示における視範囲の数を増減させるには、視範囲の数の増減に応じて、画素群を構成する画素の数を増減させればよい。
ところで、１つの表示装置で、指向性表示における視範囲の数を増減させることができれば便利である。
【０００７】
しかしながら、上述した従来の表示装置では、１つの発光領域と１つの画素群とが対応付けられている。このため、従来の表示装置では、画素群を構成する画素の数を増減させると、発光領域と画素群との対応がとれなくなってしまう。
つまり、従来の表示装置では、指向性表示における視範囲の数を変化させることが困難であるという課題がある。
【課題を解決するための手段】
【０００８】
本発明は、上述の課題の少なくとも一部を解決するためになされたものであり、以下の形態又は適用例として実現され得る。
【０００９】
［適用例１］複数の画素の前記画素ごとに駆動が制御される液晶と、前記液晶に向けて照射する光を射出する複数の射光素子と、を含み、前記複数の画素は、相互に異なるｈ個（ｈは、２以上の整数）の画像に対応して、ｈ個の前記画素ごとに、前記ｈ個の画素を１組の画素群とする複数組の前記画素群に区分され、前記複数の画素には、前記ｈ個の画像が、前記画素群ごとに、前記ｈ個の画素のそれぞれに１つずつ割り当てられ、前記射光素子は、前記画素に対応して設けられており、且つ、前記光を射出する射光状態と前記光の射出を停止する停止状態とが、前記複数の射光素子間で相互に独立して制御され、前記複数の射光素子は、前記画素群ごとに、前記ｈ個の画素に対応するｈ個の前記射光素子のうちの一部が前記射光状態に制御され、前記ｈ個の射光素子の残りが前記停止状態に制御され、前記射光状態に制御される前記射光素子は、ｈの数の多さに応じて、前記光の輝度が高く制御される、ことを特徴とする電気光学装置。
【００１０】
この適用例の電気光学装置は、液晶と、複数の射光素子と、を有している。液晶は、複数の画素の画素ごとに駆動が制御される。射光素子は、液晶に向けて照射する光を射出する。複数の画素は、相互に異なるｈ個（ｈは、２以上の整数）の画像に対応して、ｈ個の画素ごとに、これらのｈ個の画素を１組の画素群とする複数組の画素群に区分される。複数の画素には、ｈ個の画像が、画素群ごとに、ｈ個の画素のそれぞれに１つずつ割り当てられる。射光素子は、画素に対応して設けられている。射光素子は、光を射出する射光状態と光の射出を停止する停止状態とが、複数の射光素子間で相互に独立して制御される。複数の射光素子は、画素群ごとに、ｈ個の画素に対応するｈ個の射光素子のうちの一部が射光状態に制御され、ｈ個の射光素子の残りが停止状態に制御される。
この電気光学装置では、例えば、画素群ごとにｈ個の画素に対応するｈ個の射光素子のうちの１つを射光状態に制御し、他の射光素子を停止状態に制御することにより、射光状態の射光素子からの光は、ｈ個の画素のそれぞれを介して、相互に異なるｈ個の視範囲に及ぶ。画素群におけるｈ個の画素には、ｈ個の画像が１つずつ割り当てられる。このため、相互に異なるｈ個の視範囲のそれぞれに、ｈ個の画像のそれぞれを表示することができる。これにより、この電気光学装置では、指向性表示を行うことができる。
【００１１】
また、この電気光学装置では、射光状態と停止状態とが、射光素子ごとに独立して制御され得る。このため、画像の数すなわちｈの数に応じて、指向性表示における視範囲の数を変化させることができる。
また、この電気光学装置では、射光素子が画素に対応して設けられているので、複数の射光素子を射光状態に制御することによって、表示における指向性を弱めることができる。この結果、指向性表示を解除しやすくすることができる。つまり、この電気光学装置では、指向性表示と、指向性表示が解除された非指向性表示とを実現しやすくすることができる。
【００１２】
ところで、この電気光学装置では、ｈの数すなわち画像の数が多くなると指向性表示における視範囲が増える。この反面、指向性表示における視範囲が増えるということは、停止状態に制御される射光素子の数が増えることを意味する。
一般的に、停止状態に制御される射光素子の数が増えると、画像が暗くなりやすい。このため、画像の数が多くなると画像が暗くなりやすい。
これに対し、この電気光学装置では、射光状態に制御される射光素子は、ｈの数の多さに応じて、光の輝度が高く制御される。このため、画像の数が多くなると、射光素子からの光の輝度が高くなる。よって、この電気光学装置では、画像の数が多くなっても、画像を明るく表示しやすくすることができる。
【００１３】
［適用例２］上記の電気光学装置であって、前記複数の射光素子は、前記画素群ごとに、前記ｈ個の前記射光素子のうちの１つが前記射光状態に制御され、前記ｈ個の射光素子の残りが前記停止状態に制御される、ことを特徴とする電気光学装置。
【００１４】
この適用例では、複数の射光素子は、画素群ごとに、ｈ個の射光素子のうちの１つが射光状態に制御され、ｈ個の射光素子の残りが停止状態に制御される。これにより、指向性表示における視範囲の数を、画像の数に応じて変化させることができる。
【００１５】
［適用例３］上記の電気光学装置であって、前記射光素子の前記射光状態及び前記停止状態を、前記射光素子ごとに制御する制御部を有する、ことを特徴とする電気光学装置。
【００１６】
この適用例の電気光学装置は、射光素子の射光状態及び停止状態を制御する制御部を有する。この制御部は、射光状態及び停止状態を、射光素子ごとに制御する。これにより、複数の射光素子の一部を射光状態に制御し、他の射光素子を停止状態に制御することができ、指向性表示における視範囲の数を変化させることができる。
【００１７】
［適用例４］上記の電気光学装置であって、前記射光状態に制御される前記射光素子は、前記画像の濃淡における淡さに応じて、前記光の輝度が高く制御される、ことを特徴とする電気光学装置。
【００１８】
この適用例では、射光状態に制御される射光素子は、画像の濃淡における淡さに応じて、光の輝度が高く制御される。これにより、画像の濃淡の差を、光の輝度で強調することができる。
【００１９】
［適用例５］上記の電気光学装置であって、前記複数の射光素子は、エレクトロルミネセンス素子で構成されている、ことを特徴とする電気光学装置。
【００２０】
この適用例では、複数の射光素子は、エレクトロルミネセンス素子で構成されている。これにより、エレクトロルミネセンス素子を発光させることによって、射光素子を射光状態にすることができる。
【００２１】
［適用例６］上記の電気光学装置であって、前記複数の画素は、第１の方向に沿って配列する複数の前記画素を１つの画素配列として、前記第１の方向とは交差する第２の方向に並列する複数の前記画素配列を構成しており、各前記画素配列において、複数組の前記画素群が前記第１の方向に沿って並んでおり、前記第２の方向に隣り合う２つの前記画素配列において、一方の前記画素配列における前記画素群と、他方の前記画素配列における前記画素群とが、前記第１の方向及び前記第２の方向の双方に対して交差する方向に並んでいる、ことを特徴とする電気光学装置。
【００２２】
この適用例では、複数の画素は、複数の画素配列を構成している。１つの画素配列では、複数の画素が第１の方向に沿って配列している。複数の画素配列は、第１の方向とは交差する第２の方向に並列している。各画素配列において、複数組の画素群が第１の方向に沿って並んでいる。第２の方向に隣り合う２つの画素配列において、一方の画素配列における画素群と、他方の画素配列における画素群とが、第１の方向及び第２の方向の双方に対して交差する方向に並んでいる。これにより、例えば、第２の方向に隣り合う２つの画素配列において、一方の画素配列における画素群と、他方の画素配列における画素群とが、第２の方向に並んでいる構成に比較して、第１の方向における解像度を高めやすくすることができる。これにより、表示における精細度を高めやすくすることができる。この結果、表示における表示品位を向上させやすくすることができる。
【００２３】
［適用例７］上記の電気光学装置を有する、ことを特徴とする電子機器。
【００２４】
この適用例の電子機器は、電気光学装置を有している。この電気光学装置は、液晶と、複数の射光素子と、を有している。液晶は、複数の画素の画素ごとに駆動が制御される。射光素子は、液晶に向けて照射する光を射出する。複数の画素は、相互に異なるｈ個（ｈは、２以上の整数）の画像に対応して、ｈ個の画素ごとに、これらのｈ個の画素を１組の画素群とする複数組の画素群に区分される。複数の画素には、ｈ個の画像が、画素群ごとに、ｈ個の画素のそれぞれに１つずつ割り当てられる。射光素子は、画素に対応して設けられている。射光素子は、光を射出する射光状態と光の射出を停止する停止状態とが、複数の射光素子間で相互に独立して制御される。複数の射光素子は、画素群ごとに、ｈ個の画素に対応するｈ個の射光素子のうちの一部が射光状態に制御され、ｈ個の射光素子の残りが停止状態に制御される。
この電気光学装置では、例えば、画素群ごとにｈ個の画素に対応するｈ個の射光素子のうちの１つを射光状態に制御し、他の射光素子を停止状態に制御することにより、射光状態の射光素子からの光は、ｈ個の画素のそれぞれを介して、相互に異なるｈ個の視範囲に及ぶ。画素群におけるｈ個の画素には、ｈ個の画像が１つずつ割り当てられる。このため、相互に異なるｈ個の視範囲のそれぞれに、ｈ個の画像のそれぞれを表示することができる。これにより、この電気光学装置では、指向性表示を行うことができる。
この適用例の電子機器は、指向性表示を行うことができる電気光学装置を有している。このため、この電子機器では、電気光学装置において、指向性表示を行うことができる。
【００２５】
また、この電気光学装置では、射光状態と停止状態とが、射光素子ごとに独立して制御され得る。このため、画像の数すなわちｈの数に応じて、指向性表示における視範囲の数を変化させることができる。
また、この電気光学装置では、射光素子が画素に対応して設けられているので、複数の射光素子を射光状態に制御することによって、表示における指向性を弱めることができる。この結果、指向性表示を解除しやすくすることができる。つまり、この電気光学装置では、指向性表示と、指向性表示が解除された非指向性表示とを実現しやすくすることができる。
この適用例の電子機器は、指向性表示と非指向性表示とを実現しやすい電気光学装置を有している。このため、この電子機器では、電気光学装置において、指向性表示と非指向性表示とを実現しやすくすることができる。
【００２６】
ところで、この電気光学装置では、ｈの数すなわち画像の数が多くなると指向性表示における視範囲が増える。この反面、指向性表示における視範囲が増えるということは、停止状態に制御される射光素子の数が増えることを意味する。
一般的に、停止状態に制御される射光素子の数が増えると、画像が暗くなりやすい。このため、画像の数が多くなると画像が暗くなりやすい。
これに対し、この電気光学装置では、射光状態に制御される射光素子は、ｈの数の多さに応じて、光の輝度が高く制御される。このため、画像の数が多くなると、射光素子からの光の輝度が高くなる。よって、この電気光学装置では、画像の数が多くなっても、画像を明るく表示しやすくすることができる。
この適用例の電子機器は、画像の数が多くなっても、画像を明るく表示しやすくすることができる電気光学装置を有している。このため、この電子機器では、電気光学装置において、画像の数が多くなっても、画像を明るく表示しやすくすることができる。
【図面の簡単な説明】
【００２７】
【図１】本実施形態における表示装置の主要構成を示す斜視図。
【図２】図１中のＡ−Ａ線における断面図。
【図３】本実施形態における複数の画素の一部を示す平面図。
【図４】本実施形態における液晶パネルを図３中のＤ−Ｄ線で切断したときの断面図。
【図５】本実施形態におけるＴＦＴ素子及び画素電極の配置を示す平面図。
【図６】本実施形態における液晶パネルの等価回路図。
【図７】本実施形態における照明パネルを示す平面図。
【図８】本実施形態における複数のＥＬ素子の一部を示す平面図。
【図９】本実施形態における複数のＥＬ素子の一部と複数の画素の一部とを示す平面図。
【図１０】本実施形態における照明パネルの回路構成を示す図。
【図１１】図８中のＦ−Ｆ線における断面図。
【図１２】本実施形態における表示装置の主要構成を示すブロック図。
【図１３】本実施形態における液晶パネルでの偏光状態を説明する図。
【図１４】本実施形態における複数の画素の一部を示す平面図。
【図１５】本実施形態における複数組の画素群の配列を説明する平面図。
【図１６】本実施形態における複数のＥＬ素子の一部を示す平面図。
【図１７】本実施形態における複数のＥＬ素子の一部と複数組の画素群の一部とを示す平面図。
【図１８】本実施形態における液晶パネル及び照明パネルを図１７中のＩ−Ｉ線で切断したときの断面を模式的に示す図。
【図１９】本実施形態における複数の画素の一部を示す平面図。
【図２０】本実施形態における複数組の画素群の配列を説明する平面図。
【図２１】本実施形態における複数のＥＬ素子の一部を示す平面図。
【図２２】本実施形態における複数のＥＬ素子の一部と複数組の画素群の一部とを示す平面図。
【図２３】本実施形態における液晶パネル及び照明パネルを図１７中のＩ−Ｉ線で切断したときの断面を模式的に示す図。
【図２４】本実施形態における表示装置を適用した電子機器の斜視図。
【図２５】本実施形態における表示装置を適用した電子機器の斜視図。
【図２６】従来技術における課題を説明する図。
【発明を実施するための形態】
【００２８】
実施形態について、電気光学装置の１つである液晶装置を利用した表示装置を例に、図面を参照しながら説明する。
実施形態における表示装置１は、図１に示すように、表示パネル３と、制御部６と、を有している。
【００２９】
表示パネル３には、複数の画素７が設定されている。複数の画素７は、表示領域８内で、図中のＸ方向及びＹ方向に配列しており、Ｘ方向を行方向とし、Ｙ方向を列方向とするマトリクスＭを構成している。
ここで、本実施形態では、画素７は、図３に示すように、長辺と短辺とを有する四辺形を呈している。Ｘ方向は、画素７の短辺が延在する方向である。また、Ｙ方向は、Ｘ方向とは直交（交差）する方向である。本実施形態では、Ｙ方向は、画素７の長辺が延在する方向でもある。
【００３０】
図１に示す表示装置１は、後述する照明パネルからの光を、複数の画素７から選択的に表示面９を介して表示パネル３の外に射出することで、表示面９に画像を表示することができる。なお、表示領域８とは、画像が表示され得る領域である。図１では、構成をわかりやすく示すため、画素７が誇張され、且つ画素７の個数が減じられている。
【００３１】
表示パネル３は、図１中のＡ−Ａ線における断面図である図２に示すように、液晶パネル１１と、照明パネル１５と、偏光板１７ａと、偏光板１７ｂと、を有している。
液晶パネル１１は、駆動素子基板２１と、対向基板２３と、液晶２５と、シール材２７と、を有している。
駆動素子基板２１には、表示面９側すなわち液晶２５側に、複数の画素７のそれぞれに対応して、後述するスイッチング素子などが設けられている。
【００３２】
対向基板２３は、駆動素子基板２１よりも表示面９側で駆動素子基板２１に対向し、且つ駆動素子基板２１との間に隙間を有した状態で設けられている。対向基板２３には、表示パネル３における表示面９の裏面に相当する面である底面２９側すなわち液晶２５側に、後述する対向電極などが設けられている。
【００３３】
液晶２５は、駆動素子基板２１及び対向基板２３の間に介在しており、液晶パネル１１の周縁よりも内側で表示領域８を囲むシール材２７によって、駆動素子基板２１及び対向基板２３の間に封止されている。なお、本実施形態では、液晶２５として、ＴＮ（Twisted Nematic）型が採用されている。
偏光板１７ａは、駆動素子基板２１よりも底面２９側に設けられている。偏光板１７ｂは、対向基板２３よりも表示面９側に設けられている。
偏光板１７ａ及び偏光板１７ｂは、それぞれ、透過軸を有している。これらの偏光板１７ａ及び偏光板１７ｂは、それぞれ、透過軸の方向に偏光軸を有する光を透過させることができる。
【００３４】
なお、偏光板１７ａと駆動素子基板２１との間や、対向基板２３と偏光板１７ｂとの間に、光学補償フィルムを設けた構成も採用され得る。光学補償フィルムを設けることで、表示パネル３を表示面９の法線方向から見たときや、法線方向から傾斜した方向から見たときなどの液晶２５の位相差を補償することができる。これにより、光漏れを低減することができ、コントラストの向上が図られる。
【００３５】
光学補償フィルムとしては、屈折率異方性が負のディスコティック液晶分子等をハイブリッド配向させた負の一軸性媒体（例えば、富士フィルム製のＷＶフィルム）などが採用され得る。また、屈折率異方性が正のネマチック液晶分子等をハイブリッド配向させた正の一軸性媒体（例えば、日本石油製のＮＨフィルム）なども採用され得る。さらに、負の一軸性媒体と正の一軸性媒体とを組み合わせた構成も採用され得る。その他、各方向の屈折率がｎｘ＞ｎｙ＞ｎｚとなる二軸性媒体や、負のＣ−Ｐｌａｔｅ等も採用され得る。
【００３６】
照明パネル１５は、偏光板１７ａよりも底面２９側に設けられており、素子基板４１と、封止基板４３と、複数のＥＬ（Electro Luminescence）素子４５と、接着剤４７と、シール材４９と、を有している。照明パネル１５は、複数のＥＬ素子４５から封止基板４３を介して表示面９側に光を発する。
【００３７】
素子基板４１には、表示面９側に複数のＥＬ素子４５が設けられている。
封止基板４３は、素子基板４１よりも表示面９側で素子基板４１に対向した状態で設けられている。素子基板４１と封止基板４３とは、接着剤４７を介して接合されている。表示装置１では、ＥＬ素子４５は、接着剤４７によって表示面９側から覆われている。
また、素子基板４１と封止基板４３との間は、照明パネル１５の周縁よりも内側で表示領域８を囲むシール材４９によって封止されている。つまり、表示装置１では、ＥＬ素子４５と接着剤４７とが、素子基板４１及び封止基板４３並びにシール材４９によって封止されている。
【００３８】
表示パネル３に設定されている複数の画素７は、それぞれ、表示面９から射出する光の色が、図３に示すように、赤系（Ｒ）、緑系（Ｇ）及び青系（Ｂ）のうちの１つに設定されている。つまり、マトリクスＭを構成する複数の画素７は、Ｒの光を射出する画素７Ｒと、Ｇの光を射出する画素７Ｇと、Ｂの光を射出する画素７Ｂとを含んでいる。
【００３９】
ここで、Ｒの色は、純粋な赤の色相に限定されず、橙等を含む。Ｇの色は、純粋な緑の色相に限定されず、青緑や黄緑等を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００４０】
マトリクスＭでは、Ｙ方向に沿って並ぶ複数の画素７が、１つの画素列５１を構成している。また、Ｘ方向に沿って並ぶ複数の画素７が、１つの画素行５３を構成している。この観点から、画素７の短辺が延在する方向であるＸ方向は、画素行５３が延在する方向であるともみなされ得る。また、Ｙ方向は、画素列５１が延在する方向であるともみなされ得る。
１つの画素列５１内の各画素７は、光の色がＲ、Ｇ及びＢのうちの１つに設定されている。つまり、マトリクスＭは、複数の画素７ＲがＹ方向に配列した画素列５１Ｒと、複数の画素７ＧがＹ方向に配列した画素列５１Ｇと、複数の画素７ＢがＹ方向に配列した画素列５１Ｂとを有している。そして、マトリクスＭでは、画素列５１Ｒ、画素列５１Ｇ及び画素列５１Ｂが、Ｘ方向に沿って反復して並んでいる。
なお、以下においては、画素列５１という表記と、画素列５１Ｒ、画素列５１Ｇ及び画素列５１Ｂという表記とが、適宜、使いわけられる。
【００４１】
ここで、表示パネル３の構成について、詳細を説明する。
液晶パネル１１の駆動素子基板２１は、液晶パネル１１を図３中のＤ−Ｄ線で切断したときの断面図である図４に示すように、第１基板６１を有している。第１基板６１は、例えばガラスや石英などの光透過性を有する材料で構成されており、表示面９側に向けられた第１面６３ａと、底面２９側に向けられた第２面６３ｂと、を有している。
【００４２】
第１基板６１の第１面６３ａには、ゲート絶縁膜６５が設けられている。ゲート絶縁膜６５の表示面９側には、絶縁膜６７が設けられている。絶縁膜６７の表示面９側には、配向膜６９が設けられている。
また、駆動素子基板２１には、各画素７に対応して、スイッチング素子の１つであるＴＦＴ（Thin Film Transistor）素子７１と、画素電極７３とが、第１基板６１の第１面６３ａ側に設けられている。
ＴＦＴ素子７１は、ゲート電極７５と、半導体層７７と、ソース電極７９と、ドレイン電極８１と、を有している。
【００４３】
ゲート電極７５は、第１基板６１の第１面６３ａに設けられており、ゲート絶縁膜６５によって表示面９側から覆われている。なお、ゲート電極７５の材料としては、例えば、モリブデン、タングステン、クロムなどの金属や、これらを含む合金などが採用され得る。また、ゲート絶縁膜６５の材料としては、例えば、酸化シリコンや窒化シリコンなどの光透過性を有する無機材料が採用され得る。本実施形態では、ゲート絶縁膜６５の材料として、酸化シリコンが採用されている。
半導体層７７は、例えばアモルファスシリコンで構成されており、ゲート絶縁膜６５を挟んでゲート電極７５に対向する位置に設けられている。
【００４４】
ソース電極７９は、ゲート絶縁膜６５の表示面９側に設けられており、一部が半導体層７７に重なっている。ドレイン電極８１は、ゲート絶縁膜６５の表示面９側に設けられており、一部が半導体層７７に重なっている。なお、ソース電極７９やドレイン電極８１の材料としては、例えば、金、銀、銅、アルミニウムなどの金属や、これらを含む合金などが採用され得る。
なお、ＴＦＴ素子７１は、領域８８内に設けられており、ドレイン電極８１が領域８８内から画素７の領域内に延長されている。
【００４５】
上記の構成を有するＴＦＴ素子７１は、半導体層７７がゲート電極７５と、ソース電極７９及びドレイン電極８１との間に位置する所謂ボトムゲート型である。このＴＦＴ素子７１は、絶縁膜６７によって表示面９側から覆われている。なお、絶縁膜６７の材料としては、例えば、酸化シリコンや窒化シリコンなどの無機材料の他に、アクリル系の樹脂などの光透過性を有する有機材料も採用され得る。本実施形態では、絶縁膜６７の材料として、アクリル系の樹脂が採用されている。
【００４６】
画素電極７３は、絶縁膜６７の表示面９側に設けられている。画素電極７３は、例えばＩＴＯ（Indium Tin Oxide）やインジウム亜鉛酸化物等の光透過性を有する材料や、マグネシウムと銀とを含む合金等を薄膜化して光透過性を付与したものなどで構成され得る。画素電極７３は、絶縁膜６７に設けられたコンタクトホール８３を介してドレイン電極８１につながっている。
配向膜６９は、例えばポリイミドなどの光透過性を有する材料で構成されており、絶縁膜６７及び画素電極７３を表示面９側から覆っている。なお、配向膜６９には、ラビング処理などの配向処理が施されている。
【００４７】
対向基板２３は、第２基板８５を有している。第２基板８５は、例えばガラスや石英などの光透過性を有する材料で構成されており、表示面９側に向けられた外向面８６ａと、底面２９側に向けられた対向面８６ｂとを有している。
第２基板８５の対向面８６ｂには、各画素７を区画する光吸収層８７が領域８８にわたって設けられている。表示装置１では、各画素７は、光吸収層８７によって囲まれた領域であると定義され得る。光吸収層８７は、例えば、カーボンブラックやクロムなどの光吸収性が高い材料を含有する樹脂などで構成されており、平面視で格子状に設けられている。
【００４８】
また、第２基板８５の対向面８６ｂには、光吸収層８７によって囲まれた各領域、すなわち各画素７の領域を底面２９側から覆うカラーフィルター８９が設けられている。
ここで、カラーフィルター８９は、入射された光のうち所定の波長域の光を透過させることができる。カラーフィルター８９は、画素７Ｒ、画素７Ｇ及び画素７Ｂごとに異なる色に着色された樹脂などで構成されている。画素７Ｒに対応するカラーフィルター８９は、Ｒの光を透過させることができる。画素７Ｇに対応するカラーフィルター８９はＧの光を透過させ、画素７Ｂに対応するカラーフィルター８９はＢの光を透過させることができる。なお、以下において、各カラーフィルター８９に対してＲ、Ｇ及びＢが識別される場合に、カラーフィルター８９Ｒ，８９Ｇ及び８９Ｂという表記が用いられる。
【００４９】
光吸収層８７及びカラーフィルター８９の底面２９側には、オーバーコート層９１が設けられている。オーバーコート層９１は、光透過性を有する樹脂などで構成されており、光吸収層８７及びカラーフィルター８９を底面２９側から覆っている。
オーバーコート層９１の底面２９側には、対向電極９３が設けられている。対向電極９３は、例えばＩＴＯやインジウム亜鉛酸化物等の光透過性を有する材料や、マグネシウムと銀とを含む合金等を薄膜化して光透過性を付与したものなどで構成され得る。
【００５０】
対向電極９３は、マトリクスＭを構成する複数の画素７間にわたって一連した状態で設けられている。つまり、対向電極９３は、マトリクスＭを構成する複数の画素７に平面視で重なる領域に設けられており、複数の画素７間にわたって共通して機能する。なお、対向電極９３は、図示しない共通線につながっている。
対向電極９３の底面２９側には、配向膜９５が設けられている。配向膜９５は、例えばポリイミドなどの光透過性を有する材料で構成されており、対向電極９３を底面２９側から覆っている。配向膜９５には、ラビング処理などの配向処理が施されている。
【００５１】
駆動素子基板２１及び対向基板２３の間に介在する液晶２５は、配向膜６９と配向膜９５との間に介在している。表示装置１では、図２に示すシール材２７は、図４に示す第１基板６１の第１面６３ａと、第２基板８５の対向面８６ｂとによって挟持されている。つまり、表示装置１では、液晶２５は、第１基板６１及び第２基板８５によって保持されている。なお、シール材２７は、配向膜６９及び配向膜９５の間に設けられていてもよい。この場合、液晶２５は、駆動素子基板２１及び対向基板２３に保持されているとみなされ得る。
【００５２】
また、表示装置１において、液晶２５を駆動する最小単位が画素７であるという観点から、各画素７は、１つの画素電極７３と、この１つの画素電極７３に平面視で重なる領域内の対向電極９３と、によっても規定され得る。平面視で、１つの画素電極７３と対向電極９３とが重なり合う領域が１つの画素７の領域とみなされ得る。このため、画素７は、１つのＴＦＴ素子７１と、このＴＦＴ素子７１に電気的につながる画素電極７３と、この画素電極７３に平面視で重なる対向電極９３と、この画素電極７３及び対向電極９３の間に介在する液晶２５と、１つのカラーフィルター８９と、を有する素子であるともみなされ得る。
【００５３】
ところで、Ｙ方向に隣り合うＴＦＴ素子７１間において、ソース電極７９同士は、平面図である図５に示すように、信号線Ｓｅを介してつながっている。また、Ｘ方向に隣り合うＴＦＴ素子７１間において、ゲート電極７５同士は、走査線Ｔｅを介してつながっている。図５では、構成をわかりやすく示すため、走査線Ｔｅ及び画素電極７３のそれぞれにハッチングが施されている。
なお、各画素電極７３は、平面視で周縁部が領域８８内に及んでいる。
【００５４】
ここで、ゲート電極７５は、Ｘ方向に沿って並ぶ複数の画素７間にわたって一連した走査線Ｔｅとして設けられている。そして、画素７ごとに走査線Ｔｅに対向する位置に半導体層７７が設けられている。各走査線Ｔｅにおいて、平面視で半導体層７７に重なる領域がゲート電極７５であると定義され得る。
なお、図４における液晶パネル１１の断面は、図５中のＥ−Ｅ線における断面に相当している。
【００５５】
表示装置１では、液晶パネル１１は、図６に示すように、複数の走査線Ｔｅと、複数の信号線Ｓｅと、走査線駆動回路１０１と、信号線駆動回路１０３と、を有している。
なお、以下において複数の走査線Ｔｅ及び複数の信号線Ｓｅのそれぞれが識別される場合に、走査線Ｔｅ（ｎ）という表記と、信号線Ｓｅ（ｍ）という表記とが用いられる。ｎ及びｍは、それぞれ、１以上の整数をとり得る変数である。
複数の走査線Ｔｅは、走査線駆動回路１０１につながっている。複数の信号線Ｓｅは、信号線駆動回路１０３につながっている。
【００５６】
複数の走査線Ｔｅ及び複数の信号線Ｓｅは、格子状に配線されている。複数の走査線Ｔｅは、Ｙ方向に互いに間隔をあけた状態で、Ｘ方向に沿って延びている。複数の信号線Ｓｅは、Ｘ方向に互いに間隔をあけた状態で、Ｙ方向に沿って延びている。各画素７は、各走査線Ｔｅと各信号線Ｓｅとの交差に対応して設定されている。
各信号線Ｓｅは、Ｙ方向に沿って並ぶ複数の画素７すなわち各画素列５１に対応している。各走査線Ｔｅは、Ｘ方向に沿って並ぶ複数の画素７すなわち各画素行５３に対応している。
【００５７】
照明パネル１５は、平面図である図７に示すように、領域１３１が区画されている。領域１３１は、表示パネル３における表示領域８（図１）に平面的に重なる領域である。領域１３１内には、複数のＥＬ素子４５が設けられている。
なお、図７では、構成をわかりやすく示すため、ＥＬ素子４５が誇張され、且つＥＬ素子４５の個数が減じられている。
【００５８】
照明パネル１５では、複数のＥＬ素子４５が、図８に示すように、Ｙ方向に沿って並んでいる。Ｙ方向に沿って並ぶ複数のＥＬ素子４５は、１つの素子列１３３を構成している。照明パネル１５は、複数の素子列１３３を有している。複数の素子列１３３は、Ｘ方向に並列している。
また、照明パネル１５では、複数のＥＬ素子４５がＸ方向に沿って並んでいるともみなされ得る。Ｘ方向に沿って並ぶ複数のＥＬ素子４５は、１つの素子行１３４を構成している。照明パネル１５は、複数の素子行１３４を有している。複数の素子行１３４は、Ｙ方向に並列している。
なお、本実施形態では、ＥＬ素子４５は、図９に示すように、画素７に対応して設けられている。
【００５９】
照明パネル１５は、回路構成を示す図である図１０に示すように、ＥＬ素子４５ごとに、選択トランジスター１４１と、駆動トランジスター１４３と、容量素子１４５と、を有している。ＥＬ素子４５は、画素電極１４７と、有機層１４９と、共通電極１５１とを有している。
ＥＬ素子４５、並びにこのＥＬ素子４５に対応する選択トランジスター１４１、駆動トランジスター１４３、及び容量素子１４５が、１つの発光素子１５３を構成している。
選択トランジスター１４１及び駆動トランジスター１４３は、それぞれ、ＴＦＴ（Thin Film Transistor）素子で構成されている。
また、照明パネル１５は、走査線駆動回路１５５と、信号線駆動回路１５７と、複数の走査線Ｔｓと、複数の信号線Ｓｓと、複数の電源線ＰＷとを有している。
【００６０】
なお、以下において複数の走査線Ｔｓ及び複数の信号線Ｓｓのそれぞれが識別される場合に、走査線Ｔｓ（ｎ）という表記と、信号線Ｓｓ（ｍ）という表記とが用いられる。ｎ及びｍは、それぞれ、１以上の整数をとり得る変数である。
複数の走査線Ｔｓは、それぞれ走査線駆動回路１５５につながっており、Ｙ方向に互いに間隔をあけた状態でＸ方向に延びている。
複数の信号線Ｓｓは、それぞれ信号線駆動回路１５７につながっており、Ｘ方向に互いに間隔をあけた状態でＹ方向に延びている。
複数の電源線ＰＷは、Ｙ方向に互いに間隔をあけた状態で、且つ各電源線ＰＷと各走査線ＴｓとがＹ方向に間隔をあけた状態でＸ方向に延びている。
【００６１】
各走査線Ｔｓ及び各電源線ＰＷは、それぞれ、図８に示す各素子行１３４に対応している。各信号線Ｓｓは、図８に示す各素子列１３３に対応している。
図１０に示す選択トランジスター１４１のゲート電極は、対応する走査線Ｔｓに電気的につながっている。選択トランジスター１４１のソース電極は、対応する信号線Ｓｓに電気的につながっている。選択トランジスター１４１のドレイン電極は、駆動トランジスター１４３のゲート電極及び容量素子１４５の一方の電極に電気的につながっている。
【００６２】
容量素子１４５の他方の電極と、駆動トランジスター１４３のソース電極は、それぞれ、対応する電源線ＰＷに電気的につながっている。
駆動トランジスター１４３のドレイン電極は、画素電極１４７に電気的につながっている。画素電極１４７と共通電極１５１とは、画素電極１４７を陽極とし、共通電極１５１を陰極とする一対の電極を構成している。
ここで、共通電極１５１は、領域１３１（図７）内の複数のＥＬ素子４５間にわたって一連した状態で設けられており、複数のＥＬ素子４５間にわたって共通して機能する。
画素電極１４７と共通電極１５１との間に介在する有機層１４９は、有機材料で構成されており、後述する発光層を含んだ構成を有している。
【００６３】
選択トランジスター１４１は、この選択トランジスター１４１につながる走査線Ｔｓに選択信号が供給されるとオン状態となる。このとき、この選択トランジスター１４１につながる信号線Ｓｓからデータ信号が供給され、駆動トランジスター１４３がオン状態になる。駆動トランジスター１４３のゲート電位は、データ信号の電位が容量素子１４５に一定の期間だけ保持されることによって、一定の期間だけ保持される。これにより、駆動トランジスター１４３のオン状態が一定の期間だけ保持される。なお、各データ信号は、発光輝度に応じた電位に生成される。
【００６４】
駆動トランジスター１４３のオン状態が保持されているときに、駆動トランジスター１４３のゲート電位に応じた電流が、電源線ＰＷから画素電極１４７と有機層１４９を経て共通電極１５１に流れる。そして、有機層１４９に含まれる発光層が、有機層１４９を流れる電流量に応じた輝度で発光する。これにより、照明パネル１５では、ＥＬ素子４５ごとに発光輝度の調整が行われ得る。
照明パネル１５（図２）は、ＥＬ素子４５における発光層が発光し、発光層からの光が封止基板４３を介して表示面９側へ射出されるトップエミッション型の有機ＥＬ装置の１つである。
【００６５】
照明パネル１５の素子基板４１は、図８中のＦ−Ｆ線における断面図である図１１に示すように、第５基板１６１を有している。第５基板１６１は、例えばガラスや石英などの光透過性を有する材料で構成されており、表示面９側に向けられた第１面１６３ａと、底面２９側に向けられた第２面１６３ｂとを有している。
第５基板１６１の第１面１６３ａには、素子層１６５が設けられている。素子層１６５には、図１０に示す選択トランジスター１４１と、駆動トランジスター１４３と、容量素子１４５と、走査線Ｔｓと、信号線Ｓｓと、電源線ＰＷと、が含まれている。
【００６６】
素子層１６５の表示面９側には、ＥＬ素子４５ごとに画素電極１４７が設けられている。画素電極１４７の材料としては、例えば、銀、白金、アルミニウム、銅などの光反射性を有する金属や、これらを含む合金などが採用され得る。
画素電極１４７を陽極として機能させる場合には、画素電極１４７の材料として、銀、白金などの仕事関数が比較的高い材料を用いることが好ましい。また、画素電極１４７の材料としてＩＴＯ（Indium Tin Oxide）やインジウム亜鉛酸化物（Indium Zinc Oxide）などを用い、光反射性を有する部材を画素電極１４７と第５基板１６１との間に設けた構成も採用され得る。
【００６７】
また、素子層１６５の表示面９側には、隔壁１６７が設けられている。隔壁１６７は、ＥＬ素子４５ごとにＥＬ素子４５の発光領域１６９を囲んでいる。隔壁１６７は、例えば、カーボンブラックやクロムなどの光吸収性が高い材料を含有するアクリル系の樹脂やポリイミド樹脂などの有機材料で構成されており、ＥＬ素子４５ごとに開口部が設けられた構成を有している。１つのＥＬ素子４５に着目すると、隔壁１６７は、平面視で環状に設けられている。本実施形態では、隔壁１６７の材料としてアクリル系の樹脂が採用されている。
画素電極１４７の表示面９側には、隔壁１６７に囲まれた領域すなわち発光領域１６９内に、有機層１４９が設けられている。
【００６８】
有機層１４９は、正孔注入層１７１と、正孔輸送層１７３と、発光層１７５とを有している。
正孔注入層１７１は、有機材料で構成されており、発光領域１６９内で、画素電極１４７の表示面９側に設けられている。
正孔注入層１７１の有機材料としては、３，４−ポリエチレンジオキシチオフェン（ＰＥＤＯＴ）等のポリチオフェン誘導体と、ポリスチレンスルホン酸（ＰＳＳ）等との混合物が採用され得る。正孔注入層１７１の有機材料としては、ポリスチレン、ポリピロール、ポリアニリン、ポリアセチレンやこれらの誘導体なども採用され得る。
【００６９】
正孔輸送層１７３は、有機材料で構成されており、発光領域１６９内で、正孔注入層１７１の表示面９側に設けられている。
正孔輸送層１７３の有機材料としては、例えば、ＴＦＢなどのトリフェニルアミン系ポリマーを含んだ構成が採用され得る。
発光層１７５は、有機材料で構成されており、発光領域１６９内で、正孔輸送層１７３の表示面９側に設けられている。
【００７０】
ここで、発光層１７５は、Ｒの光を発する発光層と、Ｇの光を発する発光層と、Ｂの光を発する発光層とを重ねた構成を有している。なお、Ｒの光を発する発光層とＧの光を発する発光層との間や、Ｇの光を発する発光層とＢの光を発する発光層との間に、中間層が設けられることもある。
Ｒの光を発する発光層の有機材料としては、例えば、Ｆ８（ポリジオクチルフルオレン）と、ペリレン染料とを混合したものが採用され得る。
Ｇの光を発する発光層の有機材料としては、例えば、Ｆ８ＢＴと、ＴＦＢと、Ｆ８とを混合したものが採用され得る。
Ｂの光を発する発光層の有機材料としては、例えば、Ｆ８が採用され得る。
【００７１】
発光層１７５の表示面９側には、発光領域１６９内に、電子注入層１７７が設けられている。
電子注入層１７７の材料としては、例えば、マグネシウムと銀とを含む合金や、カルシウムなどが採用され得る。また、電子注入層１７７の材料としては、ストロンチウムなども採用され得る。本実施形態では、電子注入層１７７の材料として、マグネシウムと銀とを含む合金（以下、ＭｇＡｇと呼ぶ）が採用されている。
【００７２】
電子注入層１７７の表示面９側には、共通電極１５１が設けられている。共通電極１５１は、例えば、アルミニウム等の金属を薄膜化して光透過性を付与したものなどが採用され得る。また、共通電極１５１は、例えば、ＭｇＡｇ等を薄膜化して光透過性を付与したものなどによっても構成され得る。また、共通電極１５１の材料としては、ニッケルや銅などの金属も採用され得る。本実施形態では、共通電極１５１として、ＭｇＡｇの薄膜が採用されている。共通電極１５１は、電子注入層１７７及び隔壁１６７を表示面９側から複数のＥＬ素子４５間にわたって覆っている。
【００７３】
なお、各ＥＬ素子４５において発光する領域は、平面視で画素電極１４７と有機層１４９と共通電極１５１とが重なる領域であると定義され得る。本実施形態では、ＥＬ素子４５において発光する領域は、発光領域１６９と同等である。
また、本実施形態において、発光素子１５３（図１０）ごとに発光する領域を構成する要素の一群が１つのＥＬ素子４５であると定義され得る。照明パネル１５では、１つのＥＬ素子４５は、１つの画素電極１４７と、１つの有機層１４９と、１つの電子注入層１７７と、１つの発光素子１５３に対応する共通電極１５１とを含んでいる。
【００７４】
封止基板４３は、例えばガラスや石英などの光透過性を有する材料で構成されており、表示面９側に向けられた外向面４３ａと、底面２９側に向けられた対向面４３ｂとを有している。
上記の構成を有する素子基板４１及び封止基板４３は、素子基板４１の共通電極１５１と封止基板４３の対向面４３ｂとの間が、接着剤４７を介して接合されている。
【００７５】
照明パネル１５では、図２に示すシール材４９は、図１１に示す第５基板１６１の第１面１６３ａと、封止基板４３の対向面４３ｂとによって挟持されている。つまり、照明パネル１５では、ＥＬ素子４５及び接着剤４７が、第５基板１６１及び封止基板４３並びにシール材４９によって封止されている。なお、シール材４９は、対向面４３ｂ及び共通電極１５１の間に設けられていてもよい。この場合、ＥＬ素子４５及び接着剤４７は、素子基板４１及び封止基板４３並びにシール材４９によって封止されているとみなされ得る。
【００７６】
制御部６は、表示装置１のブロック図である図１２に示すように、画像制御部１９１と、発光制御部１９５と、を有している。
画像制御部１９１は、液晶パネル１１に、走査信号ＰＬＳ１と、画像データＤＡＴＡ１と、共通信号Ｖｃ１と、を出力する。走査信号ＰＬＳ１は、走査線駆動回路１０１に入力される。画像データＤＡＴＡ１は、信号線駆動回路１０３に入力される。共通信号Ｖｃ１は、対向電極９３に入力される。
走査信号ＰＬＳ１は、１フレーム期間の開始を規定する信号である。画像データＤＡＴＡ１は、各画素７における階調を指示するデータであり、画素行５３（図３）単位で信号線駆動回路１０３に出力される。
【００７７】
走査線駆動回路１０１は、入力された走査信号ＰＬＳ１に基づいて、走査線Ｔｅ（ｎ）に順次に選択信号Ｇｅ（ｎ）を出力する。
信号線駆動回路１０３は、入力された画像データＤＡＴＡ１に基づいて、各画素７に対応するデータ信号ｄｅ（ｍ）を、複数の信号線Ｓｅ（ｍ）に画素行５３単位でまとめて出力する。
対向電極９３は、共通信号Ｖｃ１に応じた電位に保たれる。
【００７８】
発光制御部１９５は、照明パネル１５に、走査信号ＰＬＳ２と、画像データＤＡＴＡ２と、電源信号ＰＷＳと、共通信号Ｖｃ２と、を出力する。走査信号ＰＬＳ２は、走査線駆動回路１５５に入力される。画像データＤＡＴＡ２は、信号線駆動回路１５７に入力される。電源信号ＰＷＳは、電源線ＰＷに入力される。共通信号Ｖｃ２は、共通電極１５１に入力される。
走査信号ＰＬＳ２は、１フレーム期間の開始を規定する信号である。画像データＤＡＴＡ２は、各ＥＬ素子４５における階調を指示するデータであり、素子行１３４（図８）単位で信号線駆動回路１５７に出力される。
【００７９】
走査線駆動回路１５５は、入力された走査信号ＰＬＳ２に基づいて、走査線Ｔｓ（ｎ）に順次に選択信号Ｇｓ（ｎ）を出力する。
信号線駆動回路１５７は、入力された画像データＤＡＴＡ２に基づいて、各ＥＬ素子４５に対応するデータ信号ｄｓ（ｍ）を、複数の信号線Ｓｓ（ｍ）に素子行１３４単位でまとめて出力する。
電源線ＰＷは、電源信号ＰＷＳに応じた電位に保たれる。また、共通電極１５１は、共通信号Ｖｃ２に応じた電位に保たれる。
上記の構成により、複数のＥＬ素子４５は、光を射出する射光状態と光の射出を停止する停止状態とが、複数のＥＬ素子４５間で相互に独立して制御され得る。
【００８０】
上記の構成を有する表示装置１では、照明パネル１５から液晶パネル１１に光を照射した状態で、液晶２５の配向状態を画素７ごとに変化させることにより、表示が制御される。液晶２５の配向状態は、画素電極７３及び対向電極９３間に印加する電圧（以下、駆動電圧と呼ぶ）を制御することによって変化し得る。
配向膜６９及び配向膜９５のそれぞれには、配向処理が施されている。配向処理が施された配向膜６９及び配向膜９５によって、液晶２５の初期的な配向状態が規制される。
表示装置１では、駆動電圧が０Ｖのときに、液晶２５がオフ状態にある。駆動電圧が大きくなると、画素電極７３及び対向電極９３間に発生する電界によって液晶２５が駆動される。液晶２５が駆動された状態は、オン状態と呼ばれる。
【００８１】
図１３（ａ）は、液晶２５がオフ状態のときの液晶パネル１１での偏光状態を示す図である。図１３（ｂ）は、液晶２５がオン状態のときの液晶パネル１１での偏光状態を示す図である。
表示装置１では、偏光板１７ａの透過軸の方向２０１ａは、図１３（ａ）及び図１３（ｂ）に示すように、平面視で偏光板１７ｂの透過軸の方向２０１ｂに直交している。配向膜６９の配向方向２０３は、平面視で透過軸の方向２０１ａに沿っている。配向膜９５の配向方向２０５は、平面視で透過軸の方向２０１ａに直交している。
なお、図１３（ａ）及び図１３（ｂ）において、Ｘ'方向及びＹ'方向は、Ｘ'方向が平面視で偏光板１７ｂの透過軸の方向２０１ｂに沿った方向を示し、Ｙ'方向がＸＹ平面内でＸ'方向に直交する方向を示している。Ｘ'方向及びＹ'方向は、ＸＹ平面内で互いに直交する任意の２方向である。
【００８２】
照明パネル１５から偏光板１７ａに入射された入射光は、偏光板１７ａの透過軸の方向２０１ａすなわちＹ'方向に沿った偏光軸を有する直線偏光２０７として液晶２５に入射される。
液晶２５に入射された直線偏光２０７は、液晶２５がオフ状態のときに、図１３（ａ）に示すように、Ｘ'方向に沿った偏光軸を有する直線偏光２０９として偏光板１７ｂに向けて射出される。偏光板１７ｂに向けて射出された直線偏光２０９は、偏光軸の方向が偏光板１７ｂの透過軸の方向２０１ｂに沿っているため、偏光板１７ｂを透過する。
【００８３】
他方で、液晶２５がオン状態のときに、直線偏光２０７は、図１３（ｂ）に示すように、偏光状態が維持されたまま直線偏光２０７として偏光板１７ｂに向けて射出される。偏光板１７ｂに向けて射出された直線偏光２０７は、偏光軸の方向が偏光板１７ｂの透過軸の方向２０１ｂに対して直交しているため、偏光板１７ｂによって吸収される。
【００８４】
表示装置１では、液晶２５がオフ状態のときに液晶パネル１１から表示面９側に光が射出され、液晶２５がオン状態のときに液晶パネル１１からの光の射出が遮断される所謂ノーマリーホワイト（初期的に“白表示”の状態）の表示モードが採用されている。しかしながら、表示モードは、ノーマリーホワイトに限定されず、所謂ノーマリーブラック（初期的に“黒表示”の状態）も採用され得る。
【００８５】
本実施形態では、図１２に示す制御部６に、図示しない上位装置から指向性表示の指令と指向性表示における画像の数が入力されたときに、指向性表示が行われる。
以下に、画像の数が２つの場合における指向性表示について説明する。
表示装置１では、上位装置から制御部６に画像の数が２つである旨を示す情報が入力されたことに基づいて、マトリクスＭを構成する複数の画素７が、図１４に示すように、複数の第１の画素７1と、複数の第２の画素７2とに区別される。
表示装置１では、照明パネル１５からの光を、複数の第１の画素７1から選択的に表示面９を介して表示パネル３の外に射出することで、表示面９に第１の画像を表示することができる。
また、表示装置１では、照明パネル１５からの光を、複数の第２の画素７2から選択的に表示面９を介して表示パネル３の外に射出することで、表示面９に第２の画像を表示することができる。
表示装置１では、第１の画像及び第２の画像の２つの画像を、同一フレーム内で表示することができる。
【００８６】
なお、第１の画像と第２の画像とは、相互に異なる画像であることと、相互に同じ画像であることとが問われない。
また、以下においては、画素７という表記と、画素７Ｒ，７Ｇ及び７Ｂという表記と、第１の画素７1及び第２の画素７2という表記とが、適宜、使いわけられる。また、第１の画素７1に対してＲ、Ｇ及びＢが識別される場合、第１の画素７Ｒ1，７Ｇ1及び７Ｂ1という表記が用いられる。同様に、第２の画素７2に対してＲ、Ｇ及びＢが識別される場合、第２の画素７Ｒ2，７Ｇ2及び７Ｂ2という表記が用いられる。
【００８７】
マトリクスＭにおいて、複数の第１の画素７1は、Ｖ方向に沿って並んでいる。また、複数の第２の画素７2も、Ｖ方向に沿って並んでいる。Ｖ方向に沿って並ぶ複数の第１の画素７1は、１つの画素配列５７1を構成している。同様に、Ｖ方向に沿って並ぶ複数の第２の画素７2が１つの画素配列５７2を構成している。
なお、Ｖ方向は、Ｘ方向及びＹ方向の双方に対して交差する方向である。
【００８８】
表示装置１では、第１の画素７1と第２の画素７2とが、Ｘ方向に交互に並んでいる。また、第１の画素７1と第２の画素７2とは、Ｙ方向にも交互に並んでいる。
マトリクスＭを構成する複数の画素７は、Ｘ方向に隣り合う第１の画素７1及び第２の画素７2の２つの画素７ごとに、これらの２つの画素７を１組とする複数組の画素群５５にわけられている。各画素群５５での第１の画素７1及び第２の画素７2の並び順は、複数組の画素群５５間で統一している。
【００８９】
本実施形態では、第１の画素７1と第２の画素７2とが、図１４で見て、Ｘ方向に左側から右側に向かってこの順で並んでいる。なお、第１の画素７1及び第２の画素７2の並び順は、複数組の画素群５５間で統一していれば、いずれが左側でも右側でもよい。
表示装置１では、複数組の画素群５５は、図１５に示すように、Ｘ方向及びＶ方向のそれぞれの方向に沿って並んでいる。
【００９０】
また、表示装置１では、上位装置から制御部６に画像の数が２つである旨を示す情報が入力されたことに基づいて、複数のＥＬ素子４５が、図１６に示すように、複数のＥＬ素子４５1と、複数のＥＬ素子４５2とに区別される。
ＥＬ素子４５1とＥＬ素子４５2とは、Ｘ方向に交互に並んでいる。また、複数のＥＬ素子４５1がＶ方向に並んでいる。複数のＥＬ素子４５2もＶ方向に並んでいる。Ｖ方向に並ぶ複数のＥＬ素子４５1は、１つの素子配列１３５1を構成している。Ｖ方向に並ぶ複数のＥＬ素子４５2は、１つの素子配列１３５2を構成している。
なお、図１６では、構成をわかりやすく示すため、ＥＬ素子４５2にハッチングが施されている。
Ｘ方向に隣り合うＥＬ素子４５1とＥＬ素子４５2とは、図１７に示すように、画素群５５に対応している。
【００９１】
第１の画像及び第２の画像の２つの画像のうち第１の画像が第１の画素７1に割り当てられ、第２の画像が第２の画素７2に割り当てられる。
指向性表示では、複数のＥＬ素子４５のうち一部のＥＬ素子４５が射光状態に制御され、他のＥＬ素子４５が停止状態に制御される。この場合、ＥＬ素子４５1及びＥＬ素子４５2のいずれか一方を射光状態に制御し、ＥＬ素子４５1及びＥＬ素子４５2の他方を停止状態に制御する方法が採用され得る。この制御は、図１２に示す発光制御部１９５によって達成され得る。
【００９２】
以下においては、ＥＬ素子４５1を射光状態に制御し、ＥＬ素子４５2を停止状態に制御する場合を例に説明する。
ＥＬ素子４５1から射出された光は、対応する画素群５５における画素７に向かって液晶パネル１１に入射する。
このとき、ＥＬ素子４５1から液晶パネル１１に入射した光は、画素群５５における第１の画素７1及び第２の画素７2を介して表示面９から射出される。
図１８は、液晶パネル１１及び照明パネル１５を図１７中のＩ−Ｉ線で切断したときの断面を模式的に示す図である。
ＥＬ素子４５1から第１の画素７1を介して表示面９側に向けて射出された光２１１は、図１８に示すように、第１の範囲２１３に及ぶ。
また、ＥＬ素子４５1から第２の画素７2を介して表示面９側に向けて射出された光２１５は、第２の範囲２１７に及ぶ。
【００９３】
なお、本実施形態では、複数の第１の画素７1から射出された光２１１は、Ｌ１の離間距離において、第１の範囲２１３の両端のそれぞれで交差する。複数の第２の画素７2から射出された光２１５は、Ｌ１の離間距離において、第２の範囲２１７の両端のそれぞれで交差する。これは、Ｘ方向に隣り合うＥＬ素子４５同士間の間隔Ｐａを、Ｘ方向に隣り合う画素群５５同士間の間隔Ｐｂよりも長く設定することによって実現され得る。これにより、第１の範囲２１３内から、すべての第１の画素７1を視認しやすくすることができる。また、第２の範囲２１７内から、すべての第２の画素７2を視認しやすくすることができる。この結果、表示における表示品位を高めやすくすることができる。
【００９４】
第１の範囲２１３からは、ＥＬ素子４５1から第１の画素７1を介して射出される光２１１が視認され得る。第２の範囲２１７からは、ＥＬ素子４５1から第２の画素７2を介して射出される光２１５が視認され得る。
第１の範囲２１３内に視点があれば、複数の第１の画素７1からの光２１１によって形成される第１の画像が視認され得る。第２の範囲２１７内に視点があれば、複数の第２の画素７2からの光２１５によって形成される第２の画像が視認され得る。
つまり、表示装置１では、第１の画像を第１の範囲２１３に表示し、第２の画像を第２の範囲２１７に表示することができる。第１の範囲２１３及び第２の範囲２１７は、相互に異なる範囲である。このように、表示装置１では、Ｘ方向に並ぶ２つの範囲に指向性表示を行うことができる。
【００９５】
なお、第１の範囲２１３と、第２の範囲２１７とは、互いに重畳する範囲２１９（以下、重畳範囲２１９と呼ぶ）を有している。重畳範囲２１９からは、第１の画像と第２の画像とが重畳した状態で視認される。
第１の範囲２１３から重畳範囲２１９を除いた範囲２１３ａからは、第１の画像だけが視認され得る。また、第２の範囲２１７から重畳範囲２１９を除いた範囲２１７ａからは、第２の画像だけが視認され得る。これらの範囲２１３ａ及び範囲２１７ａは、それぞれ、適視範囲２１３ａ及び適視範囲２１７ａと呼ばれる。
【００９６】
表示装置１において、第１の画像及び第２の画像を、それぞれ、相互に異なる視点から捉えた画像とすれば、擬似的に立体画像を表示することができる。この場合、例えば、第１の画像を左眼用の画像とし、第２の画像を右眼用の画像とすれば、第１の画像及び第２の画像は、視差画像を構成する。これにより、擬似的な立体画像の表示が実現し得る。
表示装置１では、適視範囲２１３ａ内に左眼が位置し、適視範囲２１７ａ内に右眼が位置していれば、観察者は、擬似的に立体画像を視認することができる。
【００９７】
ところで、表示装置１において、１つの画像だけを表示することも可能である。この場合、第１の画素７1及び第２の画素７2の双方を１つの画像の表示に用いればよい。
前述したように、本実施形態では、ＥＬ素子４５（図９）が画素７に対応して設けられている。表示装置１では、１つの画像だけを表示する場合、マトリクスＭを構成する複数の画素７に対応する複数のＥＬ素子４５は、発光制御部１９５によって射光状態に制御される。
マトリクスＭを構成する複数の画素７に対応する複数のＥＬ素子４５が射光状態のとき、各ＥＬ素子４５からの光は、このＥＬ素子４５に対応する画素７に入射する。このため、ＥＬ素子４５からの光の指向性が弱められる。これにより、表示における指向性が弱められる。この結果、表示における指向性を解除した状態で１つの画像を視認することができる。
このように、表示装置１では、指向性表示と、指向性表示が解除された非指向性表示とを実現することができる。
【００９８】
また、本実施形態では、指向性表示及び非指向性表示のそれぞれにおいて、画像の濃淡に応じてＥＬ素子４５ごとにＥＬ素子４５の輝度が制御され得る。この場合、画像の濃淡の淡さに応じて、ＥＬ素子４５の輝度が高く制御される。
これは、図１２に示す制御部６において、画像データＤＡＴＡ１によって指示される階調度に基づいて、発光制御部１９５が照明パネル１５を制御することによって実現され得る。画像の濃淡は、画像データＤＡＴＡ１に示される階調度によって制御される。高い階調度（明るい階調）が指示された画素７においては、画像が淡くなる。他方で、低い階調度（暗い階調）が指示された画素７においては、画像が濃くなる。
【００９９】
発光制御部１９５は、画像データＤＡＴＡ１に示される階調度に応じた画像データＤＡＴＡ２を信号線駆動回路１５７に出力する。
これにより、画像データＤＡＴＡ１に示される階調度と、各ＥＬ素子４５における発光輝度とを合わせやすくすることができる。この結果、画像の濃淡の淡さに応じて、ＥＬ素子４５の輝度を高く制御することができる。
画像の濃淡の淡さに応じて、ＥＬ素子４５の輝度を高く制御することによって、画像の濃淡の差を強調することができる。
指向性表示において、第１の画像と第２の画像とが視差画像を構成する場合、画像の濃淡の淡さに応じて、ＥＬ素子４５の輝度を高く制御することによって、画像の奥行き感が高められる。これにより、立体画像の立体感を強調することができる。
【０１００】
なお、指向性表示において、画像の数は、第１の画像及び第２の画像の２つに限定されない。これらの２つの画像に第３の画像を加えた３つの画像も採用され得る。
３つの画像の場合、マトリクスＭを構成する複数の画素７が、図１９に示すように、複数の第１の画素７1と、複数の第２の画素７2と、複数の第３の画素７3と、に区別される。複数の第１の画素７1、複数の第２の画素７2、及び複数の第３の画素７3は、それぞれ、Ｖ方向に沿って並んでいる。
【０１０１】
このとき、Ｖ方向に沿って並ぶ複数の第３の画素７3は、１つの画素配列５７3を構成している。画素配列５７1と画素配列５７2と画素配列５７3とは、Ｘ方向に並んでいる。
そして、Ｘ方向に連続して並ぶ第１の画素７1と第２の画素７2と第３の画素７3とが、１組の画素群５５を構成する。
複数組の画素群５５は、図２０に示すように、Ｘ方向及びＶ方向のそれぞれの方向に沿って並んでいる。
【０１０２】
また、複数のＥＬ素子４５は、図２１に示すように、複数のＥＬ素子４５1と、複数のＥＬ素子４５2と、複数のＥＬ素子４５3とに区別される。
ＥＬ素子４５1とＥＬ素子４５2とＥＬ素子４５3とは、Ｘ方向に連続して並んでいる。また、複数のＥＬ素子４５1、複数のＥＬ素子４５2、及び複数のＥＬ素子４５3は、それぞれ、Ｖ方向に並んでいる。Ｖ方向に並ぶ複数のＥＬ素子４５3は、１つの素子配列１３５3を構成している。
なお、図２１では、構成をわかりやすく示すため、ＥＬ素子４５2及びＥＬ素子４５3にハッチングが施されている。
Ｘ方向に連続して並ぶＥＬ素子４５1とＥＬ素子４５2とＥＬ素子４５3とは、図２２に示すように、画素群５５に対応している。
【０１０３】
第１の画像、第２の画像及び第３の画像の３つの画像のうち第１の画像が第１の画素７1に割り当てられ、第２の画像が第２の画素７2に割り当てられ、第３の画像が第３の画素７3に割り当てられる。
また、この場合、画素群５５に対応する３つのＥＬ素子４５のうちの１つが射光状態に制御され、他のＥＬ素子４５が停止状態に制御される。この制御は、図１２に示す発光制御部１９５によって達成され得る。
以下においては、ＥＬ素子４５2を射光状態に制御し、ＥＬ素子４５1及びＥＬ素子４５3を停止状態に制御する場合を例に説明する。
【０１０４】
図２３は、液晶パネル１１及び照明パネル１５を図１７中のＩ−Ｉ線で切断したときの断面を模式的に示す図である。
ＥＬ素子４５2から第１の画素７1を介して表示面９側に向けて射出された光２１１は、図２３に示すように、第１の範囲２１３に及ぶ。
同様に、ＥＬ素子４５2から第２の画素７2を介して表示面９側に向けて射出された光２１５は、第２の範囲２１７に及ぶ。
そして、ＥＬ素子４５2から第３の画素７3を介して表示面９側に向けて射出された光２２３は、第３の範囲２２５に及ぶ。
【０１０５】
第３の範囲２２５からは、ＥＬ素子４５2から第３の画素７3を介して射出される光２２３が視認され得る。第３の範囲２２５内に視点があれば、複数の第３の画素７3からの光２２３によって形成される第３の画像が視認され得る。
つまり、表示装置１では、第１の画像を第１の範囲２１３に表示し、第２の画像を第２の範囲２１７に表示し、第３の画像を第３の範囲２２５に表示することができる。第１の範囲２１３、第２の範囲２１７、及び第３の範囲２２５は、相互に異なる範囲である。このように、表示装置１では、Ｘ方向に並ぶ３つの範囲に指向性表示を行うことができる。
なお、第２の範囲２１７と、第３の範囲２２５とは、重畳範囲２１９を有している。重畳範囲２１９からは、Ｘ方向に隣り合う２つの画像が重畳した状態で視認される。
【０１０６】
上記の３つの画像の例において、それぞれ、相互に異なる視点から捉えた画像とすれば、擬似的な立体画像を２つの異なる方向から捉えられた立体画像として表示することができる。この場合、第１の画像及び第２の画像が１組の視差画像を構成し、第２の画像及び第３の画像が１組の視差画像を構成する。これにより、２つの異なる方向から捉えられた立体画像の表示が実現し得る。これにより、例えば、表示装置１に対する観察者の位置が変化したときに、観察者に、立体画像の対象物の角度が連続的に変化する感覚を与えることができる。
【０１０７】
表示装置１では、画像の数が２つ以上のときに、画像の数に応じて、複数のＥＬ素子４５のうちの一部が停止状態に制御され、他のＥＬ素子４５が射光状態に制御される。
これにより、表示装置１では、画像の数に応じて指向性表示における視範囲の数を変化させることができる。
このことは、例えば、以下のように法則化することができる。
この法則では、指向性表示における画像の数がｈ個（ｈは、２以上の整数）とされる。そして、複数の画素７は、ｈ個の画素７ごとに、ｈ個の画素７を１組の画素群５５とする複数組の画素群５５に区分される。
照明パネル１５では、画素群５５に対応するｈ個のＥＬ素子４５のうちの１つが射光状態に制御され、残りのＥＬ素子４５が停止状態に制御される。
この法則によれば、ｈ個の画像の数に応じて、指向性表示における視範囲の数を変化させることができる。
【０１０８】
なお、画像の数に応じて指向性表示における視範囲の数を変化させる場合においても、画像の濃淡の淡さに応じてＥＬ素子４５の輝度を高く制御する方法が採用され得る。これにより、指向性表示における視範囲の数を変化させる場合においても、画像の濃淡の差を強調することができる。
上記の法則によれば、ｈの数すなわち画像の数が多くなると指向性表示における視範囲の数を増やすことができる。この反面、指向性表示における視範囲の数が増えるということは、停止状態に制御されるＥＬ素子４５の数が増えることを意味する。停止状態に制御されるＥＬ素子４５の数が増えると、画像が暗くなりやすい。このため、画像の数が多くなると画像が暗くなりやすい。
これに対し、本実施形態では、射光状態に制御されるＥＬ素子４５は、画像の数に応じて発光輝度が高く制御される。これは、図１２に示す制御部６の指令に基づいて、発光制御部１９５が画像の数に応じた画像データＤＡＴＡ２を信号線駆動回路１５７に出力することによって達成され得る。
これにより、視範囲の数を増やしても、画像を明るく表示しやすくすることができる。
【０１０９】
発光輝度を高める度合いとしては、例えば、上記の変数ｈの値に応じた度合いが採用され得る。
例えば、ｈ＝２のとき、複数のＥＬ素子４５は、２個に１個の割り合いで停止状態に制御される。このため、ｈ＝２のときには、画像の数が１つのときに比較して、照明パネル１５の明るさが略半減する。そこで、ｈ＝２のときに、射光状態に制御されるＥＬ素子４５の輝度をｋ倍にすれば、照明パネル１５の明るさを、画像の数が１つのときと略同等にすることができる。
このことから、射光状態に制御するＥＬ素子４５の輝度を、ｈの値に応じてｈ倍の輝度に制御することは、好ましい。
【０１１０】
さらに、射光状態に制御するＥＬ素子４５の輝度を画像の数に応じて高く制御する場合においても、画像の濃淡の淡さに応じてＥＬ素子４５の輝度を高く制御する方法が採用され得る。これにより、表示する画像を明るく保ちながら視範囲の数を増やしつつ、画像の濃淡の差を強調することができる。
【０１１１】
本実施形態にいおいて、ＥＬ素子４５が射光素子としてのエレクトロルミネセンス素子に対応し、発光制御部１９５が制御部に対応している。また、Ｘ方向が第１の方向に対応し、Ｙ方向が第２の方向に対応し、Ｖ方向が第１の方向及び第２の方向の双方に対して交差する方向に対応している。
なお、本実施形態では、複数の画素群５５がＸ方向及びＶ方向の双方に並んでいるが、画素群５５の配列は、これに限定されない。画素群５５の配列としては、複数の画素群５５がＸ方向及びＹ方向の双方に並んでいる配列も採用され得る。
しかしながら、複数の画素群５５がＸ方向及びＶ方向の双方に並んでいる配列では、複数の画素群５５がＸ方向及びＹ方向の双方に並んでいる配列に比較して、Ｘ方向における解像度を高めやすくすることができる。これにより、表示における精細度を高めやすくすることができる。この結果、表示における表示品位を向上させやすくすることができる。
【０１１２】
また、本実施形態では、ＴＮ型の液晶２５を例に説明したが、液晶２５はこれに限定されず、ＦＦＳ（Fringe Field Switching）型、ＩＰＳ（In Plane Switching）型、ＶＡ（Vertical Alignment）型等の種々の型が採用され得る。
【０１１３】
上述した表示装置１は、例えば、図２４に示す電子機器５００の表示部５１０に適用され得る。この電子機器５００は、カーナビゲーションシステム用の表示機器である。電子機器５００では、表示装置１が適用された表示部５１０によって、例えば、運転席側から第１の画像として地図などの画像が視認され、助手席側から第２の画像として映画などの画像が視認され得る。
また、電子機器５００では、表示部５１０として表示装置１が適用されているので、指向性表示における視範囲の数を変化させやすくすることができる。
【０１１４】
また、表示装置１は、例えば、図２５に示す電子機器６００の表示部６１０にも適用され得る。この電子機器６００は、携帯電話機である。この電子機器６００は、操作ボタン６１１を有している。表示部６１０は、操作ボタン６１１で入力した内容や着信情報を始めとする様々な情報について表示を行うことができる。
電子機器６００では、表示装置１が適用された表示部６１０によって、例えば、擬似的な立体画像を表示することができる。この電子機器６００では、表示部６１０に表示装置１が適用されているので、視差画像の視点数を増加させやすくすることができる。連続的に変化する視点から捉えられた複数の画像を採用すれば、擬似的な立体画像を相互に異なる方向から捉えられた立体画像として表示することができる。これにより、表示部６１０に対する観察者の位置が変化したときに、観察者に、立体画像の対象物の角度が連続的に変化する感覚を与えることができる。
なお、電子機器５００や電子機器６００としては、カーナビゲーションシステム用の表示機器や携帯電話機に限られず、モバイルコンピューター、デジタルスチルカメラ、デジタルビデオカメラ、車載機器、オーディオ機器等の種々の電子機器が挙げられる。
【符号の説明】
【０１１５】
１…表示装置、３…表示パネル、６…制御部、７…画素、７1…第１の画素、７2…第２の画素、７3…第３の画素、８…表示領域、９…表示面、１１…液晶パネル、１５…照明パネル、１７ａ，１７ｂ…偏光板、２１…駆動素子基板、２３…対向基板、２５…液晶、２９…底面、４１…素子基板、４３…封止基板、４５…ＥＬ素子、４５1…ＥＬ素子、４５2…ＥＬ素子、４５3…ＥＬ素子、５１…画素列、５３…画素行、５５…画素群、５７1…画素配列、５７2…画素配列、５７3…画素配列、６１…第１基板、６９…配向膜、７３…画素電極、８５…第２基板、９３…対向電極、９５…配向膜、１０１…走査線駆動回路、１０３…信号線駆動回路、１３１…領域、１３３…素子列、１３４…素子行、１３５1…素子配列、１３５2…素子配列、１３５3…素子配列、１４１…選択トランジスター、１４３…駆動トランジスター、１４５…容量素子、１４７…画素電極、１４９…有機層、１５１…共通電極、１５３…発光素子、１５５…走査線駆動回路、１５７…信号線駆動回路、１６１…第５基板、１６５…素子層、１６７…隔壁、１６９…発光領域、１７５…発光層、１９１…画像制御部、１９５…発光制御部、２１１，２１５…光、２１３…第１の範囲、２１７…第２の範囲、２２３…光、２２５…第３の範囲、５００…電子機器、５１０…表示部、６００…電子機器、６１０…表示部、６１１…操作ボタン、Ｍ…マトリクス。
【図１】
2010217650.tif 000003
【図２】
2010217650.tif 000004
【図３】
2010217650.tif 000005
【図４】
2010217650.tif 000006
【図５】
2010217650.tif 000007
【図６】
2010217650.tif 000008
【図７】
2010217650.tif 000009
【図８】
2010217650.tif 000010
【図９】
2010217650.tif 000011
【図１０】
2010217650.tif 000012
【図１１】
2010217650.tif 000013
【図１２】
2010217650.tif 000014
【図１３】
2010217650.tif 000015
【図１４】
2010217650.tif 000016
【図１５】
2010217650.tif 000017
【図１６】
2010217650.tif 000018
【図１７】
2010217650.tif 000019
【図１８】
2010217650.tif 000020
【図１９】
2010217650.tif 000021
【図２０】
2010217650.tif 000022
【図２１】
2010217650.tif 000023
【図２２】
2010217650.tif 000024
【図２３】
2010217650.tif 000025
【図２４】
2010217650.tif 000026
【図２５】
2010217650.tif 000027
【図２６】
2010217650.tif 000028